(57)【要約】      （修正有）【課題】簡単な構造で、低温抽出剤の循環使用が可能な天然植物香り成分の低温抽出装置を提供する。【解決手段】天然植物香り成分の低温抽出装置は、管路８によって分け、物質瓶３、一つ以上の製品捕集瓶６、抽出剤収集瓶７の順序に従い連結する。物質瓶３中には抽出待ちの物質及び低沸点極性の抽出剤４を入れ、製品捕集瓶６には捕集吸収液５を入れ、抽出剤収集瓶７を冷却ボックス９内に置く。【選択図】図２
0003156589.tif 000002
【実用新案登録請求の範囲】
【請求項１】
管路によって分け、物質瓶、一つ以上の製品捕集瓶、抽出剤収集瓶の順序に従い連結し、物質瓶中には抽出待ちの物質及び低沸点極性の抽出剤を入れ、製品捕集瓶には捕集吸収液を入れ、抽出剤収集瓶を−２０℃から０℃の冷却ボックス内に置き、前記管路のガス出口端は液面より高く、ガス進入端は液面下に挿入することを特徴とする天然植物香り成分の低温抽出装置。
【請求項２】
前記製品捕集瓶は冷却ボックス内に置くことを特徴とする請求項１記載の天然植物香り成分の低温抽出装置。
【請求項３】
前記低沸点極性の抽出剤は−５℃から１０℃までの沸点とする易揮発極性の抽出剤であり、しかも前記極性の抽出剤は製品捕集瓶中の捕集吸収液５とは溶け合わないか僅かに溶け合う溶剤であることを特徴とする請求項１又は請求項２記載の天然植物香り成分の低温抽出装置。
【請求項４】
前記冷却ボックスと製品捕集瓶には温度計を挿入し、温度計の測定範囲は−２０℃から６０℃を超えるものとすることを特徴とする請求項１記載の天然植物香り成分の低温抽出装置。
【請求項５】
前記冷却ボックスに挿入する温度計と、冷却ボックス及び製品捕集瓶に挿入する温度計の測定範囲は−２０℃から６０℃を超えるものとすることを特徴とする請求項２記載の天然植物香り成分の低温抽出装置。
【考案の詳細な説明】
【技術分野】
【０００１】
本考案は、天然植物香り成分の抽出装置に係る。
【背景技術】
【０００２】
わが国には豊富な天然植物がある。漢方薬草資源としての使用の歴史も長い。漢方によっては使用する薬草の箇所も異なる。果実、花、つぼみ、茎、葉、根に含まれる有効成分の種類や含量の差が大きい故、採用される抽出方法も異なる。漢方薬草の抽出、純化の伝統的な技術方法には、煎煮法、浸漬法、滲出（ｐｅｒｃｏｌａｔｉｏｎ）法、回流法などがあるが、これらの方法には、広く存在する有効成分の抽出率が低い、混合物の除去率が低い、生産周期が長い、消耗エネルギーが高い、溶剤使用量が大きいなどの欠点がある。現代工業工程技術の急速な発展に伴い、漢方工程技術もまた長足の進歩を遂げた。ハイテク技術を漢方薬生産に取り入れ、漢方薬生産を更に伝統的な漢方薬理論に符合させ、使用する薬の質要求を確実にする一方、現有する漢方薬資源の利用率を高める。現代漢方薬草の抽出、純化技術にはセミバイオニック抽出法（ＳＢＥ）、超臨界流体抽出法、超音波抽出法、大孔吸着樹脂分離技術、超濾過技術、凝結分離技術、高速遠心分離技術、高速遠心分離技術、マイクロ波支援抽出技術（ＭＡＥ）等がある。漢方薬草中で揮発性が大きく溶解度の小さい成分に対しては、シスト（ｃｙｓｔ）技術やβ−シクロデキストリンを組み合わせた技術を施す。抽出した溶剤は、アルコール、水、液体ＣＯ２、石油エーテル、シクロヘキサン、ジクロロメタン、エチルアセテート等を含む。
【０００３】
現在、天然植物抽出方法（同時蒸留抽出、ソックスレー抽出、マイクロ波抽出、超臨界抽出、溶剤超音波抽出など）の処理過程は、高温、高圧、有毒溶剤に関わり、サンプルは高温処理によって多くの成分が酸化還元反応を経る故、得られる製品はサンプルの原始組成とは異なるものとなる。サンプルをジクロメタン、石油エーテル、アセトン等有毒性のある試薬で処理した後は、それによって得られる製品を直接、実際の生産に応用することは難しい。
【０００４】
天然植物抽出液は独特の香り、保健、薬用などの効能性成分を含み、重要な添加剤もまた、食品、薬品、香料エッセンスなど業界の物質をベースとする。しかし、もし処理過程において高温酸化還元があれば、その内の有効成分を破壊し、甚だしくは、新しい有害成分を生じさせることもある。多くの処理方法は、ある有効成分を得るために、毒性のある試薬を加え、続く処理工程において、この有毒性試薬の除去が難しい故に、天然植物抽出物の応用範囲は制限されてしまう。
現在、国内外には効果のある低温低毒抽出装置がまだ見られない故、天然植物（漢方薬草）の応用には大きな制限が設けられている。
【考案の概要】
【考案が解決しようとする課題】
【０００５】
現有する技術において存在する欠点に鑑み、本考案は簡単な構造をもつ天然植物香り成分の低温抽出装置を提供する。それは、常温のもとで、各種物質の揮発性、半揮発性の有効な香成分を抽出でき、この装置の原理及びフローを使って抽出した成分には物質の原始組成が保持されており、得られた製品は、食品、薬品、または分析領域内に直接応用することが可能である。また、低温抽出剤は最後に冷却を経て収集され、循環使用が可能であるので、コスト節約が可能で、並びに、環境に危害を与えることもない。
【課題を解決するための手段】
【０００６】
前述の目的を達成するために、本考案の天然植物香り成分の低温抽出装置は、管路８によって分けられ、物質瓶、一つ以上の製品捕集瓶、抽出剤収集瓶の順序に従い連結する。物質瓶中には抽出待ちの物質及び低沸点極性の抽出剤を入れ、製品捕集瓶内には捕集吸収液を入れ、抽出剤収集瓶を−２０℃から０℃の冷却ボックス９内に置く。前記管路のガス出口端は液面より高く、ガス進入端は液面下に挿入する。
【考案の効果】
【０００７】
本考案の作業原理は低沸点抽出液を採用し低温下において抽出物を採取し、その後、常温下で迅速に気化揮発させ、既に抽出した有効成分を挟んで取り出すものであり、公知技術での高温高圧処理によるサンプル成分組成の破壊や有毒溶剤残留により生産中に直接応用できない欠点を克服する。その後、一等級あるいは多等級の捕集瓶を経過した後、揮発性有効成分を異なるリソソーム（lysosome）中に溶解させ、それぞれ分けて捕集する。前記装置が抽出した成分に物質の原始組成が保持されており、捕集液は無毒であり、需要に応じて異なる種類のリソソーム（lysosome）を選択し、その温度を調整して、異なる目標成分を捕集する。得られた物質は、食品、薬品、または分析領域内に直接応用することが可能であり、公知技術での高温抽出による成分組成破壊や有毒溶剤抽出ゆえに生産中に直接応用できない欠点を克服する。同時に、低温抽出剤は最後に十分に揮発した後、冷却収集し、循環使用でき、コストを節約でき、環境への危害もない。本考案の装置は、抽出、捕集、収集の作業分担の活用がスムーズで細分化しており、複雑または簡単に配置でき、分析データとサンプル及び抽出物は比較可能性が強く、更に研究と分析の詳細化の意義を持つものである。
【図面の簡単な説明】
【０００８】
【図１】本考案の装置に関する原理図１である。
【図２】本考案の装置に関する原理図２である。
【考案を実施するための形態】
【０００９】
天然植物香り成分の低温抽出装置は、図１及び図２に示すとおりであり、それは、管路８によって分け、物質瓶３、一つ以上の製品捕集瓶６、抽出剤収集瓶７の順序に従い連結する。物質瓶３中には抽出待ちの物質及び低沸点極性の抽出剤４を入れ、製品捕集瓶６には捕集吸収液５を入れ、抽出剤収集瓶７を−２０℃から０℃の冷却ボックス９内に置く。前記の低沸点極性の抽出剤は−５℃から１０℃の低沸点極性の抽出剤４を選択し、しかも香りなしまたは良好な香りの易揮発性溶剤を選択し、前記溶剤は製品捕集瓶６中の捕集吸収液５とは溶け合わないか僅かに溶け合う。前記管路８のガス出口端は液面より高く、ガス進入端は液面下に挿入する。
【００１０】
前記管路８の材質は実際の需要に基づいて選択する。前記物質瓶３、製品捕集瓶６、抽出剤収集瓶７は実際の需要に基づいて一つもしくは多くの連結させるか並列させて使用することも可能である。前記容器の形状は需要に依って円形、球形、正方形、長方形、錐体などに作製する。実際の希望に応じてガラス、ステンレス、アルミニウム、銅、鉄、何れかの合金、または陶製容器などを選択可能である。
【００１１】
現在、金銀花を例とし、本考案天然植物香り成分の低温抽出の流れを具体的に説明する。
（１）抽出しようとするサンプル金銀花粉末３０グラムを物質瓶３に入れ、しっかり蓋を閉める。物質瓶３を冷却ボックス１に入れ、冷却剤を加えて低温に浸す。温度計１０を差し、冷却剤使用量を調整しながら、物質瓶３を−１０℃から０℃まで十分に冷却した後、物質瓶３の蓋を開けて低沸点極性の抽出剤４を加え、１５時間抽出する。
（２）抽出済みの物質瓶３を冷却ボックス１から取り出すと、低温抽出液は常温において迅速に揮発する。順序に基づき連結した一つ以上の製品捕集瓶６によって捕集された吸収液５は多等級低温収集され、金銀花の揮発性及び半揮発性の香成分を得る。低沸点極性の抽出剤４は最後に−２０℃から０℃の抽出剤収集瓶７に集められ、循環使用を提供する。
【００１２】
前記温度計１１と温度計１０の測定範囲は−２０℃から６０℃より大きい。
前記の一つ以上の製品捕集瓶６は同様または異なる冷却温度の蓋で密封する冷却ボックス内に置き異なる沸点の分別蒸留を捕集することが可能である。捕集吸収液５の香りや安全性に影響を与えないなら、低沸点極性の抽出剤４を吸収できる捕集液を選択可能であり、同時に、抽出剤収集瓶７、冷却ボックス９、温度計１１は要望に基づいて保留または除去を選択可能である。
【符号の説明】
【００１３】
１    冷却ボックス
１０  温度計
１１  温度計
３    物質瓶
３０  金銀花粉末
４    抽出剤
５    捕集吸収液
６    製品捕集瓶
７    抽出剤収集瓶
８    管路
９    冷却ボックス
【図１】
0003156589.tif 000003
【図２】
0003156589.tif 000004